(57)【要約】      （修正有）【課題】捕獲筒体を小動物の通り穴内に配置して待機し、通り穴を通って小動物が捕獲筒体の両開口端部のうちの一方から捕獲筒体の内部に進入し、進入した小動物は外方への回動を阻止された吊蓋の存在により捕獲筒体内に捕獲されることになるが、この捕獲効率を向上することができる小動物捕獲器を提供する。【解決手段】モグラ等の小動物の通り穴に配置される捕獲筒体１の両開口端部の内部に吊蓋２を配設してなり、捕獲筒体の両開口端部の外部に小動物が捕獲筒体の開口端部外への逃避を防ぐ障壁体３を設けてなる。【選択図】図１
0003156178.tif 000002
【実用新案登録請求の範囲】
【請求項１】
モグラ等の小動物の通り穴に配置される捕獲筒体の両開口端部の内部に吊蓋を配設してなり、上記捕獲筒体の両開口端部の外部に上記小動物が該捕獲筒体の開口端部外への逃避を防ぐ障壁体を設けてなることを特徴とする小動物捕獲器。
【請求項２】
上記障壁体に上記小動物の通り穴の周囲の土中に穿入可能な穿入部を設けてなることを特徴とする請求項１記載の小動物捕獲器。
【請求項３】
上記障壁体は板状材により形成され、該障壁体に上記捕獲筒体の両開口端部の外周面に嵌脱可能な嵌合穴を形成してなることを特徴とする請求項１又は２記載の小動物捕獲器。
【請求項４】
上記捕獲筒体は互いに嵌脱可能な一対の半筒体からなることを特徴とする請求項１〜３のいずれか１項に記載の小動物捕獲器。
【考案の詳細な説明】
【技術分野】
【０００１】
本考案は、例えば、モグラやネズミなどの小動物を捕獲する際に用いられる小動物捕獲器に関するものである。
【背景技術】
【０００２】
従来、この種の小動物捕獲器として、モグラ等の小動物の通り穴に配置される円筒状の捕獲筒体の両開口端部の内部に吊蓋を配設してなる構造のものが知られている。
【先行技術文献】
【特許文献】
【０００３】
【特許文献１】特公昭６２−３７９４３号公報
【考案の概要】
【考案が解決しようとする課題】
【０００４】
しかしながらこの従来構造の場合、小動物が通り穴を通って捕獲筒体の開口端部から内部に進入しようとしたとき、異変に気付き、捕獲筒体の開口端部外へと逃避することがあり、捕獲効率が低下することがあるという不都合を有している。
【課題を解決するための手段】
【０００５】
本考案はこれらの不都合を解決することを目的とするもので、本考案のうちで、請求項１記載の考案は、モグラ等の小動物の通り穴に配置される捕獲筒体の両開口端部の内部に吊蓋を配設してなり、上記捕獲筒体の両開口端部の外部に上記小動物が該捕獲筒体の開口端部外への逃避を防ぐ障壁体を設けてなることを特徴とする小動物捕獲器にある。
【０００６】
又、請求項２記載の考案は、上記障壁体に上記小動物の通り穴の周囲の土中に穿入可能な穿入部を設けてなることを特徴とするものであり、又、請求項３記載の考案は、上記障壁体は板状体により形成され、該障壁体に上記捕獲筒体の両開口端部の外周面に嵌脱可能な嵌合穴を形成してなることを特徴とするものであり、又、請求項４記載の考案は、上記捕獲筒体は互いに嵌脱可能な一対の半筒体からなることを特徴とするものである。
【考案の効果】
【０００７】
本考案は上述の如く、請求項１記載の考案にあっては、捕獲筒体を小動物の通り穴内に配置して待機し、通り穴を通って小動物が捕獲筒体の両開口端部のうちの一方から捕獲筒体の内部に進入し、進入した小動物は外方への回動を阻止された吊蓋の存在により捕獲筒体内に捕獲されることになり、この際、上記捕獲筒体の両開口端部の外部に上記小動物が捕獲筒体の開口端部外への逃避を防ぐ障壁体を設けているから、小動物が捕獲筒体の開口端部の存在などの異変に気付き、捕獲筒体の開口端部外へと逃避しようとしても、小動物は障壁体に衝突し、やむなく捕獲筒体の開口端部から内部へと進入する確率が高まり、それだけ、捕獲効率を向上することができる。
【０００８】
又、請求項２記載の考案にあっては、上記障壁体に上記小動物の通り穴の周囲の土中に穿入可能な穿入部を設けてなるから、捕獲筒体を土中に確実に固定することができ、又、請求項３記載の考案にあっては、上記障壁体は板状体により形成され、この障壁体に上記捕獲筒体の両開口端部の外周面に嵌脱可能な嵌合穴を形成しているから、障壁体を捕獲筒体に容易に取り付けることができ、又、請求項４記載の考案にあっては、上記捕獲筒体は互いに嵌脱可能な一対の半筒体からなるので、捕獲した小動物を容易に取り出すことができる。
【図面の簡単な説明】
【０００９】
【図１】本考案の実施の形態例の全体斜視図である。
【図２】本考案の実施の形態例の全体断面図である。
【図３】本考案の実施の形態例の部分拡大断面図である。
【図４】本考案の実施の形態例の横断面図である。
【図５】本考案の実施の形態例の分離斜視図である。
【図６】本考案の実施の形態例の使用状態断面図である。
【考案を実施するための形態】
【００１０】
図１乃至図６は本考案の実施の形態例を示し、１は捕獲筒体であって、円筒状に形成され、この場合、捕獲筒体１は差込構造及びストッパー凸部１ｃにより互いに嵌脱可能な一対の半筒体１ａ・１ａからなり、外周面に餌となるミミズＳの進入穴１ｄが複数個形成され、モグラ等の小動物Ｗの通り穴Ｍに配置される。
【００１１】
この捕獲筒体１の両開口端部の内部にそれぞれ吊蓋２・２が吊下され、この場合、吊蓋２・２の上部に挿通穴２ａ・２ａが形成され、この挿通穴２ａ・２ａに針金材２ｂ・２ｂを挿通して針金材２ｂ・２ｂを捕獲筒体１の止め穴１ｂ・１ｂに挿通して縛着することにより捕獲筒体１の開口端部に揺動自在に吊下し、吊蓋２・２の下端部に捕獲筒体１・１の内周面に当接して吊蓋２・２の外方側への回動を阻止する回動阻止部２ｃ・２ｃを形成することにより内方に回動して小動物の進入は許容するが外方への回動を阻止して小動物の逃げを防ぐように構成している。
【００１２】
３は障壁体であって、上記捕獲筒体１の両開口端部の外部に設けられ、この場合、障壁体３・３に小動物Ｗの通り穴Ｍの周囲の土中に穿入可能な穿入部３ａが形成され、かつ、この場合、障壁体３・３は板状体により形成され、障壁体３・３に捕獲筒体１の両開口端部の外周面に嵌脱可能な嵌合穴３ｂ・３ｂを形成し、この障壁体３により小動物Ｗが捕獲筒体１の開口端部外への逃避を防ぐように構成している。
【００１３】
この実施の形態例は上記構成であるから、捕獲筒体１を小動物Ｗの通り穴Ｍ内に配置して待機し、通り穴Ｍを通って小動物Ｗが捕獲筒体１の両開口端部のうちの一方から捕獲筒体１の内部に進入し、進入した小動物Ｗは外方への回動を阻止された吊蓋２・２の存在により捕獲筒体１内に捕獲されることになり、この際、上記捕獲筒体１の両開口端部の外部に上記小動物Ｗが捕獲筒体１の開口端部外への逃避を防ぐ障壁体３を設けているから、小動物Ｗが捕獲筒体１の開口端部の存在などの異変に気付き、捕獲筒体１の開口端部外へと逃避しようとしても、小動物Ｗは障壁体３に衝突し、やむなく捕獲筒体１の開口端部から内部へと進入する確率が高まり、それだけ、捕獲効率を向上することができる。
【００１４】
この場合、上記障壁体３に上記小動物Ｗの通り穴Ｍの周囲の土中に穿入可能な穿入部３ａを設けてなるから、捕獲筒体１を土中に確実に固定することができ、又、この場合、上記障壁体３は板状体により形成され、この障壁体３に上記捕獲筒体１の両開口端部の外周面に嵌脱可能な嵌合穴３ｂを形成しているから、障壁体３を捕獲筒体１に容易に取り付けることができ、又、この場合、上記捕獲筒体１は互いに嵌脱可能な一対の半筒体１ａ・１ａからなるので、捕獲した小動物Ｗを容易に取り出すことができる。
【００１５】
尚、本考案は上記実施の形態例に限られるものではなく、捕獲筒体１、吊蓋２、障壁体３の形状や構造等は適宜変更して設計される。
【００１６】
以上の如く、所期の目的を充分達成することができる。
【符号の説明】
【００１７】
Ｗ    小動物
Ｍ    通り穴
１    捕獲筒体
１ａ    半筒体
２    吊蓋
３    障壁体
３ａ    穿入部
３ｂ    嵌合穴
【図１】
0003156178.tif 000003
【図２】
0003156178.tif 000004
【図３】
0003156178.tif 000005
【図４】
0003156178.tif 000006
【図５】
0003156178.tif 000007
【図６】
0003156178.tif 000008